(57)【要約】【課題】個人認証の誤りを迅速に認識することができる健康管理システムを提供する。【解決手段】使用者の生体情報を測定する測定部と、前記測定した測定値を外部に出力する送信手段と、使用者を特定する個人特定手段と、前記外部に出力する測定値に前記個人特定手段で特定された個人ＩＤを付加する信号生成手段と、を有する複数の生体情報測定装置と、前記複数の生体情報測定装置から出力された測定値を受信する受信手段と、前記受信した測定値に基づく情報を表示する表示部と、前記受信した測定値を記憶するメモリと、を有する端末装置と、を備え、前記端末装置は、前記複数の生体情報測定装置から送信された測定値に付加された前記個人ＩＤ同士を比較する比較手段と、前記個人ＩＤ同士が相違する場合に前記相違を報知する報知手段と、をさらに有することを特徴とする健康管理システムが提供される。【選択図】図３
2009189728.tif 000002
【特許請求の範囲】
【請求項１】
使用者の生体情報を測定する測定部と、前記測定した測定値を外部に出力する送信手段と、使用者を特定する個人特定手段と、前記外部に出力する測定値に前記個人特定手段で特定された個人ＩＤを付加する信号生成手段と、を有する複数の生体情報測定装置と、
前記複数の生体情報測定装置から出力された測定値を受信する受信手段と、前記受信した測定値に基づく情報を表示する表示部と、前記受信した測定値を記憶するメモリと、を有する端末装置と、
を備え、
前記端末装置は、前記複数の生体情報測定装置から送信された測定値に付加された前記個人ＩＤ同士を比較する比較手段と、前記個人ＩＤ同士が相違する場合に前記相違を報知する報知手段と、
をさらに有することを特徴とする健康管理システム。
【請求項２】
前記複数の生体情報測定装置のいずれかから送信された前記個人ＩＤ付きの測定値を前記受信手段が受信すると、起動していなかった前記表示部が自動的に起動して前記測定値を表示することを特徴とする請求項１記載の健康管理システム。
【請求項３】
使用者の生体情報を測定する測定部と、前記測定した測定値を外部に出力する送信手段と、を有する複数の生体情報測定装置と、
前記複数の生体情報測定装置から出力された測定値を受信する受信手段と、前記受信した測定値に基づく情報を表示する表示部と、前記受信した測定値を記憶するメモリと、を有する端末装置と、
を備え、
前記複数の生体情報測定装置の少なくともいずれかは、使用者を特定する個人特定手段と、前記外部に出力する測定値に前記個人特定手段で特定された個人ＩＤを付加する信号生成手段と、
をさらに有し、
前記端末装置は、使用者を特定する個人特定手段と、個人ＩＤを特定することで前記メモリから当該個人の測定値を読み出して前記表示部に測定履歴を表示させる演算部と、前記少なくともいずれかの生体情報測定装置から送信された測定値に付加された個人ＩＤと前記端末装置の個人特定手段により特定された個人ＩＤとを比較する比較手段と、前記少なくともいずれかの生体情報測定装置から送信された測定値に付加された個人ＩＤと前記端末装置の個人特定手段により特定された個人ＩＤとが相違する場合に前記相違を報知する報知手段と、
をさらに有することを特徴とする健康管理システム。
【請求項４】
前記個人特定手段を有する生体情報測定装置は、前記個人特定手段として使用者を特定するための操作スイッチを有し、前記操作スイッチが操作されると、前記生体情報の測定を開始することを特徴とする請求項１〜３のいずれか１つに記載の健康管理システム。
【請求項５】
前記個人特定手段を有する生体情報測定装置は、トイレ室に設けられた便座に使用者が座った状態で前記生体情報を測定可能としたものであることを特徴とする請求項１〜４のいずれか１つに記載の健康管理システム。
【発明の詳細な説明】
【技術分野】
【０００１】
本発明の態様は、一般的に、健康管理システムに関し、具体的には体温や血圧などの生体情報を測定して表示したり記録できる健康管理システムに関する。
【背景技術】
【０００２】
体温値、尿糖値、血圧値、脈拍値、あるいは体重値などの生体情報を測定装置で測定し、これらの測定値を測定情報表示機器（端末装置）の表示部に表示することができる、あるいは、それらの測定値を測定情報表示機器のメモリに記憶することができる健康管理システムがある（例えば、特許文献１参照）。特許文献１（特開２００６−０１７５５９号公報）に記載された健康管理システムは、使用者が個人認証スイッチを操作して個人認証を行い、認証された個人（使用者）の個人情報と、尿糖値や血圧値などの生体情報と、をメモリに記憶し、また、メモリに記憶された個人情報と生体情報とを表示部に表示することができる。
【０００３】
しかしながら、特許文献１（特開２００６−０１７５５９号公報）に記載された健康管理システムにおいては、使用者は測定情報表示機器の表示部で個人を特定する個人認証スイッチの操作を行い、次いで測定装置の操作部を操作して測定操作を行う必要があるため、それらの操作が煩雑で分かりにくいという点で改善の余地があった。
【０００４】
そこで、操作の煩雑さを改善するために、測定装置において個人認証と測定操作とをまとめて行うことも考えられる。しかし、複数の測定装置がある場合には、一方の測定装置では正しい個人認証データを入力したが、他の測定装置においては、誤って正しくない個人認証データを入力してしまうこともあり得る。このような場合、これらの測定装置から測定情報表示装置に個人認証データが送られると、から個人識別の競合が発生するという問題がある。
【０００５】
また、特許文献１（特開２００６−０１７５５９号公報）に記載された健康管理システムにおいては、複数の測定装置による測定値を端末装置に記憶しておき、過去の測定履歴を閲覧することができる。しかし、この測定履歴に含まれる個人の生体情報には、他人に知られたくない情報が含まれることもある。これに対して、個人認証データ（パスワード）を入力することで過去の記録を閲覧可能としてもよい。しかし、例えば、過去の履歴を閲覧の個人認証データを誤って入力したような場合も、測定装置から送られてきたデータ（測定値）の個人認証データと、が相違するために個人識別の競合が発生するという問題がある。
【特許文献１】特開２００６−０１７５５９号公報
【発明の開示】
【発明が解決しようとする課題】
【０００６】
本発明の態様は、かかる課題の認識に基づいてなされたものであり、個人認証の誤りを迅速に認識することができる健康管理システムを提供する。
【課題を解決するための手段】
【０００７】
本発明の一態様によれば、使用者の生体情報を測定する測定部と、前記測定した測定値を外部に出力する送信手段と、使用者を特定する個人特定手段と、前記外部に出力する測定値に前記個人特定手段で特定された個人ＩＤを付加する信号生成手段と、を有する複数の生体情報測定装置と、前記複数の生体情報測定装置から出力された測定値を受信する受信手段と、前記受信した測定値に基づく情報を表示する表示部と、前記受信した測定値を記憶するメモリと、を有する端末装置と、を備え、前記端末装置は、前記複数の生体情報測定装置から送信された測定値に付加された前記個人ＩＤ同士を比較する比較手段と、前記個人ＩＤ同士が相違する場合に前記相違を報知する報知手段と、をさらに有することを特徴とする健康管理システムが提供される。
【０００８】
また、本発明の他の一態様によれば、使用者の生体情報を測定する測定部と、前記測定した測定値を外部に出力する送信手段と、を有する複数の生体情報測定装置と、前記複数の生体情報測定装置から出力された測定値を受信する受信手段と、前記受信した測定値に基づく情報を表示する表示部と、前記受信した測定値を記憶するメモリと、を有する端末装置と、を備え、前記複数の生体情報測定装置の少なくともいずれかは、使用者を特定する個人特定手段と、前記外部に出力する測定値に前記個人特定手段で特定された個人ＩＤを付加する信号生成手段と、をさらに有し、前記端末装置は、使用者を特定する個人特定手段と、個人ＩＤを特定することで前記メモリから当該個人の測定値を読み出して前記表示部に測定履歴を表示させる演算部と、前記少なくともいずれかの生体情報測定装置から送信された測定値に付加された個人ＩＤと前記端末装置の個人特定手段により特定された個人ＩＤとを比較する比較手段と、前記少なくともいずれかの生体情報測定装置から送信された測定値に付加された個人ＩＤと前記端末装置の個人特定手段により特定された個人ＩＤとが相違する場合に前記相違を報知する報知手段と、をさらに有することを特徴とする健康管理システムが提供される。
【発明の効果】
【０００９】
本発明の態様によれば、個人認証の誤りを迅速に認識することができる健康管理システムが提供される。
【発明を実施するための最良の形態】
【００１０】
本発明の第一の実施形態は、使用者の生体情報を測定する測定部と、前記測定した測定値を外部に出力する送信手段と、使用者を特定する個人特定手段と、前記外部に出力する測定値に前記個人特定手段で特定された個人ＩＤを付加する信号生成手段と、を有する複数の生体情報測定装置と、前記複数の生体情報測定装置から出力された測定値を受信する受信手段と、前記受信した測定値に基づく情報を表示する表示部と、前記受信した測定値を記憶するメモリと、を有する端末装置と、を備え、前記端末装置は、前記複数の生体情報測定装置から送信された測定値に付加された前記個人ＩＤ同士を比較する比較手段と、前記個人ＩＤ同士が相違する場合に前記相違を報知する報知手段と、をさらに有する健康管理システムである。
【００１１】
この健康管理システムによれば、複数の生体情報測定装置から端末装置に送信された測定値に付加された個人ＩＤが相違した場合には、その相違を報知するため、個人認証の誤りを迅速に認識することができる。そして、使用者が個人ＩＤを修正することによって、使用者毎の測定値を端末装置に正しく記憶させることができる。
【００１２】
また、その際、前記複数の生体情報測定装置のいずれかから送信された前記個人ＩＤ付きの測定値を前記受信手段が受信すると、起動していなかった前記表示部が自動的に起動して前記測定値を表示すれば、さらに使い勝手が良い健康管理システムを提供できる。
【００１３】
本発明の第二の実施形態は、使用者の生体情報を測定する測定部と、前記測定した測定値を外部に出力する送信手段と、を有する複数の生体情報測定装置と、前記複数の生体情報測定装置から出力された測定値を受信する受信手段と、前記受信した測定値に基づく情報を表示する表示部と、前記受信した測定値を記憶するメモリと、を有する端末装置と、を備え、前記複数の生体情報測定装置の少なくともいずれかは、使用者を特定する個人特定手段と、前記外部に出力する測定値に前記個人特定手段で特定された個人ＩＤを付加する信号生成手段と、をさらに有し、前記端末装置は、使用者を特定する個人特定手段と、個人ＩＤを特定することで前記メモリから当該個人の測定値を読み出して前記表示部に測定履歴を表示させる演算部と、前記少なくともいずれかの生体情報測定装置から送信された測定値に付加された個人ＩＤと前記端末装置の個人特定手段により特定された個人ＩＤとを比較する比較手段と、前記少なくともいずれかの生体情報測定装置から送信された測定値に付加された個人ＩＤと前記端末装置の個人特定手段により特定された個人ＩＤとが相違する場合に前記相違を報知する報知手段と、をさらに有する健康管理システムである。
【００１４】
この健康管理システムによれば、端末装置で特定した個人ＩＤと、生体情報測定装置から端末装置に送信された測定値に付加された個人ＩＤとが相違した場合には、その相違を報知するため、個人認証の誤りを迅速に認識することができる。そして、使用者が個人ＩＤを修正することによって、使用者毎の測定値を端末装置に正しく記憶させることができる。
【００１５】
また、これらにおいて、個人特定手段を有する生体情報測定装置は、個人特定手段として使用者を特定するための操作スイッチを有し、操作スイッチが操作されると、生体情報の測定を開始するようにすれば、操作忘れを無くすことができる。
【００１６】
さらに、個人特定手段を有する生体情報測定装置は、トイレ室に設けられた便座に使用者が座った状態で生体情報を測定可能としたものとすれば、常に同じような姿勢で生体情報を測定することができるので、測定姿勢の影響による生体情報の変動を生じないようにすることができる。
【００１７】
以下、本発明の実施の形態について図面を参照しつつ説明する。なお、各図面中、同様の構成要素には同一の符号を付して詳細な説明は適宜省略する。  
図１は、本発明の実施の形態にかかる健康管理システムが設置されたトイレ室を例示する模式図である。
【００１８】
図１に表したトイレ室には、便器６０２と、便器６０２の後方の壁面６５０ａに付設されたライニング６０６と、便器６０２の側方において前後方向に延在する棚板６１０と、が設けられている。便器６０２には、局部洗浄装置６０４を設けることができる。局部洗浄装置６０４は、便座に座った使用者の「おしり」などに水を噴射して、「おしり」などを洗浄することができる。棚板６１０の下方には、キャビネット６１２、６１４が設けられている。また、棚板６１０の下方には、トイレットペーパー６１８やペーパーホルダ６１６が設けられていてもよいし、棚板６１０の上面には、水栓６２０を付設したボウル６２２が設けられていてもよい。さらに、棚板６１０の上方の壁面６５０ｂには、鏡６２４が設けられていてもよい。壁面６５０ｂには、トイレリモコン６３０が付設されている。使用者は、トイレリモコン６３０を操作することによって、例えば便器６０２の洗浄を実行させたり、便器６０２の便座や便蓋を電動により開閉させることができる。
【００１９】
本実施形態にかかる健康管理システムは、使用者の尿を採尿して体温値や尿糖値を測定する尿糖計２００や、血圧を測定する血圧計３００や、体重を測定する体重計４００などの複数の生体情報測定装置と、生体情報測定装置から送られてきた測定値を表示部に表示したり、メモリに記憶する端末装置（測定情報表示装置）１００と、を備えている。
【００２０】
端末装置１００は、トイレリモコン６３０の側方の壁面６５０ｂに設けられている。端末装置１００は、尿糖計２００や血圧計３００や体重計４００などの複数の生体情報測定装置から出力された測定値を受信し、端末装置１００が有する表示部にそれらの測定値を表示する機能と、端末装置１００が有するメモリにそれらの測定値を記憶する機能と、を有している。
【００２１】
尿糖計２００は、ライニング６０６の内部に設けられている。尿糖計２００は、後述する受尿装置によって採尿された尿を搬送管２６８を通して取り入れて、尿糖値や体温値（尿温値）を測定する機能を有している。また、尿糖計２００は、尿糖計２００と端末装置１００との間に接続された有線２０６を通して、測定値（尿糖値、体温値）を端末装置１００に送信することができる。但し、尿糖計２００の測定値の送信手段は、有線通信だけに限られるわけではなく、例えば赤外線通信や電波通信などの無線通信であってもよい。
【００２２】
端末装置１００の下方には、尿糖計リモコン２３０が設けられている。使用者は、尿糖計リモコン２３０を操作することによって、尿糖値や体温値の測定を開始することができる。なお、図１に表したトイレ室において、尿糖計リモコン２３０は端末装置１００の直ぐ下方に設けられているが、これだけに限られるわけではなく、端末装置１００と離れて設けられていてもよい。
【００２３】
血圧計３００は、キャビネット６１４の内部に収納されている。血圧値を測定する場合には、使用者はキャビネット６１４から血圧計３００を取り出し、便座に着座した状態のままで、例えば腕などに装着して血圧値を測定することができる。血圧計３００は、例えば赤外線通信や電波通信などの無線通信によって、測定値（血圧値）を端末装置１００に送信することができる。この場合、尿糖計２００と同様に、有線を通して測定値を端末装置１００に送信することもできるが、便座に着座した使用者が血圧計３００をキャビネットから取り出して血圧値を測定することを考慮すると、血圧計３００は無線通信によって測定値を端末装置１００に送信することがより好ましい。
【００２４】
体重計４００は、床面６５０ｅの下方に設けられている。体重計４００の上方には、体重計パネル４０２が床面６５０ｅと略同一面となるように設けられている。そのため、体重計４００は、体重計パネル４０２に覆われており、使用者から見えない状態で配置されている。使用者は、体重計パネル４０２の上に立つことによって、体重値を測定することができる。体重計４００は、体重計４００と端末装置１００との間に接続された有線４０６を通して、測定値（体重値）を端末装置１００に送信することができる。但し、尿糖計２００の場合と同様に、体重計４００の測定値の送信手段は、有線通信だけに限られるわけではなく、例えば赤外線通信や電波通信などの無線通信であってもよい。
【００２５】
図２は、本実施形態にかかる健康管理システムの構成を例示するブロック図である。  
本実施形態にかかる健康管理システムは、前述したように、尿糖計２００や血圧計３００や体重計４００などの複数の生体情報測定装置と、端末装置（測定情報表示装置）１００と、を備えている。
【００２６】
端末装置１００は、複数の生体情報測定装置から出力された測定値を受信する受信手段１０２と、測定値に付加された個人ＩＤ（Identification）を判別する機能などを有する制御部１０４と、受信した測定値を表示する表示部１０６と、測定値を記憶するメモリ１０８と、使用者を特定する端末装置個人特定手段１１０と、使用者が種々の操作を行う操作手段１１２と、を有している。受信手段１０２の受信方法は、有線通信であってもよいし、例えば赤外線通信や電波通信などの無線通信であってもよい。
【００２７】
また、制御部１０４は、測定値に付加された個人ＩＤを判別（比較）する比較手段１１４と、個人ＩＤの相違を報知する報知手段１１６と、個人ＩＤを特定することでメモリ１０８から個人の測定値を読み出して表示部１０６に測定履歴を表示させる演算部１１８と、を有している。
【００２８】
一方、生体情報測定装置の１つである尿糖計２００は、使用者の体温値および尿糖値を測定する尿糖計測定部２１０と、測定値（体温値、尿糖値）を端末装置１００に出力する尿糖計送信手段２１２と、端末装置１００に出力する測定値に尿糖計個人特定手段２３２で特定された個人ＩＤを付加する尿糖計信号生成手段２１４と、を有している。なお、尿糖計個人特定手段２３２は、尿糖計リモコン２３０に設けられている。
【００２９】
血圧計３００は、使用者の血圧値を測定する血圧計測定部３１０と、測定値（血圧値）を端末装置１００に出力する血圧計送信手段３１２と、使用者を特定する血圧計個人特定手段３３２と、端末装置１００に出力する測定値に血圧計個人特定手段３３２で特定された個人ＩＤを付加する尿糖計信号生成手段３１４と、を有している。
【００３０】
体重計４００は、使用者の体重値を測定する体重計測定部４１０と、測定値（体重値）を端末装置１００に出力する体重計送信手段４１２と、を有している。
【００３１】
尿糖計２００は、図２に表したように、測定値（体温値、尿糖値）に尿糖計個人特定手段２３２で特定された個人ＩＤを付加して、その測定値と個人ＩＤとを尿糖計送信手段２１２から端末装置１００に出力することができる。これと同様に、血圧計３００は、測定値（血圧値）に血圧計個人特定手段３３２で特定された個人ＩＤを付加して、その測定値と個人ＩＤとを血圧計送信手段３１２から端末装置１００に出力することができる。一方、体重計は測定値（体重値）のみを体重計送信手段４１２から端末装置１００に出力することができる。
【００３２】
図３は、本実施形態にかかる健康管理システムの動作を説明するための模式図である。  本実施形態にかかる健康管理システムにおいて、使用者は尿糖計リモコン２３０に設けられた尿糖計個人特定手段２３２を操作することによって、体温値や尿糖値の測定を開始することができる。尿糖計個人特定手段２３２は、図３に表したように、例えば「ユーザー１」として使用者を特定するスイッチ２３２ａ、「ユーザー２」として使用者を特定するスイッチ２３２ｂ、「ユーザー３」として使用者を特定するスイッチ２３２ｃ、「ユーザー４」として使用者を特定するスイッチ２３２ｄ、「ゲスト」として使用者を特定するスイッチ２３２ｅなどを有している。
【００３３】
使用者が、例えばスイッチ２３２ａを操作して体温値や尿糖値の測定を開始しようとすると、尿糖計リモコン２３０は、「ユーザー１」として特定された個人ＩＤと、測定命令と、を尿糖計２００に送信する。この送信内容に基づいて、尿糖計２００は、受尿装置によって採尿された尿から体温値や尿糖値を測定し、その測定値に個人ＩＤ（ユーザー１）を付加して端末装置１００に送信する。
【００３４】
一方、使用者は血圧計３００に設けられた血圧計個人特定手段３３２を操作することによって、血圧値の測定を開始することができる。血圧計個人特定手段３３２は、尿糖計個人特定手段２３２と同様に、例えば「ユーザー１」として使用者を特定するスイッチ３３２ａ、「ユーザー２」として使用者を特定するスイッチ３３２ｂ、「ユーザー３」として使用者を特定するスイッチ３３２ｃ、「ユーザー４」として使用者を特定するスイッチ３３２ｄ、「ゲスト」として使用者を特定するスイッチ３３２ｅなどを有している。
【００３５】
使用者が、例えばスイッチ３３２ｂを操作して血圧値の測定を開始しようとすると、血圧計３００は、使用者の血圧値を測定し、その測定値に「ユーザー２」として特定された個人ＩＤを付加して端末装置１００に送信する。
【００３６】
さらに、使用者は端末装置１００の操作手段１１２を操作することによって、体重値の測定を開始することができる。体重計４００は、図１に関して前述したように、床面６５０ｅの下方に設けられ、体重計パネル４０２に覆われているため、体重計４００を操作することなく端末装置１００を操作することによって、体重値の測定を開始できることがより好ましい。体重計４００は使用者の体重値を測定し、その測定値を端末装置１００に送信する。
【００３７】
ここで例えば、使用者が尿糖値を測定した後に続けて血圧計を測定した場合に、尿糖計２００から送信された測定値に付加された個人ＩＤ（例えば、ユーザー１）と、血圧計３００から送信された測定値に付加された個人ＩＤ（例えば、ユーザー２）と、が相違していると、個人ＩＤ同士が競合して測定結果が正しく表示部に表示されない、あるいは正しくメモリに記憶されないおそれがある。
【００３８】
そこで、本実施形態にかかる健康管理システムにおいては、端末装置１００の比較手段１１４は、尿糖計２００から出力された測定値に付加された個人ＩＤと、血圧計３００から出力された測定値に付加された個人ＩＤと、を比較することできる。これらの個人ＩＤ同士が相違する場合には、報知手段１１６は、個人ＩＤ同士が相違していることを使用者に対して報知することができる。報知手段１１６による報知方法は、例えば、表示部１０６に告知画面を表示する方法や、音声アラームを発信する方法などが挙げられる。
【００３９】
このように、複数の生体情報測定装置で付加された個人ＩＤ同士が相違しても、個人ＩＤ同士が相違していることを使用者は知ることができ、直ちにその個人ＩＤを修正することができるため、測定値を正しく表示部に表示させ、あるいは正しくメモリに記憶させることができる。
【００４０】
また、本実施形態にかかる健康管理システムにおいては、端末装置１００の表示部１０６が消灯している場合、使用者は操作手段１１２の有する「表示入／切」スイッチ１１２ａを操作して表示部１０６を点灯（起動）させることができる。なお、表示部１０６を消灯させる目的は、例えば省電力化や、いわゆる画面焼き付き防止などが挙げられる。表示部１０６が消灯状態から点灯状態になると、後に詳述するように、使用者を特定する画面が表示部１０６に表示される。このとき、端末装置個人特定手段１１０によって使用者が特定され、個人の過去の測定履歴などを表示することができる。ここで、使用者は尿糖計個人特定手段２３２や血圧計個人特定手段３３２を操作して、個人（使用者）を特定する操作を行うことで、体温値や血圧値などの測定を開始することができ、また過去のデータに新たなデータを追加することもできる。
【００４１】
しかしながら、端末装置個人特定手段１１０によって特定された使用者の個人ＩＤ（例えば、ユーザー１）と、尿糖計２００や血圧計３００から送信された測定値に付加された個人ＩＤ（例えば、ユーザー２）と、が相違している場合には、個人ＩＤ同士が競合して測定結果が正しく表示部に表示されない、あるいは正しくメモリに記憶されないおそれがある。
【００４２】
そこで、本実施形態にかかる健康管理システムにおいては、端末装置１００の比較手段１１４は、端末装置個人特定手段１１０によって特定された使用者の個人ＩＤと、尿糖計２００や血圧計３００から送信された測定値に付加された個人ＩＤと、を比較することができる。これらの個人ＩＤ同士が相違する場合には、報知手段１１６は、個人ＩＤ同士が相違していることを使用者に対して報知することができる。報知手段１１６による報知方法は、前述したように例えば、表示部１０６に告知画面を表示する方法や、音声アラームを発信する方法などが挙げられる。
【００４３】
このように、端末装置個人特定手段１１０によって特定された使用者の個人ＩＤと、生体情報測定装置で付加された個人ＩＤ同士と、が相違しても、個人ＩＤ同士が相違していることを使用者は知ることができ、直ちにその個人ＩＤを修正することができるため、測定値を正しく表示部に表示させ、あるいは正しくメモリに記憶させることができる。
【００４４】
次に、生体情報測定装置および端末装置の詳細について図面を参照しつつ説明する。  
図３を参照すると、端末装置１００は、前述したように、表示部１０６と、操作手段１１２と、を有している。操作手段１１２は、表示部１０６の「入／切」を操作する「表示入／切」スイッチ１１２ａと、入力位置などを操作する「位置操作」スイッチ１１２ｂと、入力内容の決定を指示する「入力」スイッチ１１２ｃと、表示部１０６の表示内容や入力内容を元に戻す「戻る」スイッチ１１２ｄと、を有している。なお、端末装置１００は、表示部１０６の表面に直接触れて操作することができる、いわゆるタッチパネル方式の表示部を有していてもよい。
【００４５】
表示部１０６には、尿糖計２００や血圧計３００などから送信された測定値の結果がデジタル式あるいはグラフなどとして表示される。また、メモリ１０８（図２参照）に記憶された過去の測定履歴などが表示される。したがって、使用者は表示部１０６に表示されたグラフなどによって、体温値や血圧値などの推移を確認することができる。なお、体温値や血圧値などの測定値は、個人ＩＤが付加された状態でメモリに記憶されているため、各個人ごとの測定履歴が表示部１０６に表示される。
【００４６】
図３を参照すると、尿糖計リモコン２３０は、前述したように、使用者を特定する「ユーザー１」スイッチ２３２ａと、「ユーザー２」スイッチ２３２ｂと、「ユーザー３」スイッチ２３２ｃと、「ユーザー４」スイッチ２３２ｄと、「ユーザー５」スイッチ２３２ｅと、を有している。また、尿糖計リモコン２３０は、尿糖測定の開始を指示する「尿糖」スイッチ２３４と、測定などの中止を指示する「中止」スイッチ２３６と、後に詳述する採尿装置の回動アームの位置を操作する「アーム位置前」スイッチ２３８と、「アーム位置後」スイッチ２４０と、採尿装置の掃除を実行させる「掃除入／切」スイッチ２４２と、を有している。
【００４７】
使用者がスイッチ２３２ａ、スイッチ２３２ｂ、スイッチ２３２ｃ、スイッチ２３２ｄ、あるいはスイッチ２３２ｅなどの個人（使用者）を特定するスイッチ類を操作すると、尿糖計２００は、個人ＩＤの認証を行った上で体温値の測定を開始する。なおこの際、使用者が「尿糖」スイッチ２３４を操作すると、尿糖計２００は体温値と併せて尿糖値も測定する。すなわち、使用者が「尿糖」スイッチ２３４を操作しない場合には、尿糖計２００は体温値のみを測定する。
【００４８】
図４は、本実施形態の受尿装置を例示する模式図である。  
また、図５は、受尿装置を分解して斜めから眺めた分解斜視図である。  
受尿装置２５０は、受尿部２５４と、回動アーム２５２と、を有している。受尿部２５４と回動アーム２５２とは互いに締結され、便器６０２に付設された駆動部２６６が回動アーム２５２を駆動させることで、受尿部２５４は便器６０２のボウル６０２ａの内部を移動することができる。図４に表した受尿装置２５０は、受尿部２５４が受尿位置にある状態を表している。この状態において、使用者が受尿部２５４に放尿した尿を当てることによって、受尿装置２５０は受尿を行うことができる。
【００４９】
受尿部２５４の上方部には、受尿メッシュ２６２が設けられている。受尿メッシュ２６２は、受尿部２５４が受尿した時の尿の泡立ちを防止する機能、あるいは受尿した尿が飛び跳ねることを防止する機能などを有している。受尿部２５４の下方部には、受尿器２５６が設けられている。また、受尿器２５６の内部には、温度検出センサ２５８と、吸尿口２６０と、が設けられている。温度検出センサ２５８は、受尿器２５６で受尿した尿の尿温を測定することができる。温度検出センサ２５８が測定した尿温値は、前述した使用者の体温値に相当する。吸尿口２６０は、受尿器２５６の内部に溜まった尿を吸引する。吸尿口２６０から吸引された尿は、搬送管２６８（図１参照）を通って尿糖計２００に搬送される。尿糖計２００は、搬送管２６８を通って搬送された尿の尿糖値を測定することができる。これにより、使用者は便座に着座した状態のままで、体温値（尿温値）や尿糖値を測定することができる。
【００５０】
図３を参照すると、血圧計３００は、前述したように、使用者を特定する「ユーザー１」スイッチ３３２ａと、「ユーザー２」スイッチ３３２ｂと、「ユーザー３」スイッチ３３２ｃと、「ユーザー４」スイッチ３３２ｄと、「ユーザー５」スイッチ３３２ｅと、を有している。また、血圧計３００は、測定などの中止を指示する「中止」スイッチ３３６をさらに有している。血圧計３００の上部には、測定値（血圧値、脈拍値）を表示する表示部３０６が設けられている。
【００５１】
使用者がスイッチ３３２ａ、スイッチ３３２ｂ、スイッチ３３２ｃ、スイッチ３３２ｄ、あるいはスイッチ３３２ｅなどの個人（使用者）を特定するスイッチ類を操作すると、血圧計３００は、個人ＩＤの認証を行った上で血圧値の測定を開始する。
【００５２】
次に、本実施形態にかかる健康管理システムの動作の具体例について図面を参照しつつ説明する。  
図６は、本実施形態にかかる健康管理システムの動作の具体例を表すフローチャート図である。  
図６に表したフローチャート図は、使用者が尿糖計リモコン２３０の尿糖計個人特定手段２３２を操作して体温値の測定を開始し、続けて血圧計３００の血圧計個人特定手段３３２を操作して血圧値の測定を行う場合の動作を例示している。
【００５３】
まず、使用者は尿糖計リモコン２３０のスイッチ２３２ｂを操作し、「ユーザー２」として使用者を特定（選択）したとする（ステップＳ１０２）。使用者が尿糖計リモコン２３０のスイッチ２３２ｂを操作すると、尿糖計リモコン２３０は「ユーザ２」として特定された個人ＩＤ（ユーザー２）と測定命令とを尿糖計２００に送信し、尿糖計２００は体温値の測定を開始する（ステップＳ１０４）。なお、図３に関して前述したように、使用者が「尿糖」スイッチ２３４を操作した場合には、尿糖計２００は体温値と併せて尿糖値も測定する。続いて、尿糖計２００の測定値（体温値）は、個人ＩＤ（ユーザー２）が付加されて尿糖計２００から端末装置１００に送信される（ステップＳ１０６）。端末装置１００は、受信した測定値（体温値）を「ユーザー２」のデータとしてメモリ１０８に記憶し、また表示部１０６にその測定値を表示する（ステップＳ１０８）。
【００５４】
続いて、使用者は血圧計３００のスイッチ３３２ａを操作し、誤って「ユーザー１」として使用者を特定（選択）したとする（ステップＳ１１０）。但し、使用者が誤って「ユーザー１」として使用者を特定した場合だけに限られず、尿糖計２００にて体温値を測定した使用者に替わり、続けて実際に別の使用者が血圧計３００を使用するために「ユーザー１」として使用者を特定した場合であってもよい。使用者が血圧計３００のスイッチ３３２ａを操作すると、血圧計３００は血圧値の測定を開始する（ステップＳ１１２）。続いて、血圧計３００の測定値（血圧値）は、個人ＩＤ（ユーザー１）が付加されて血圧計３００から端末装置１００に送信される（ステップＳ１１４）。
【００５５】
このとき、端末装置１００の比較手段１１４は、尿糖計２００から送信されて表示部１０６に表示されている測定値に付加された個人ＩＤ（ユーザー２）と、血圧計３００から送信された測定値に付加された個人ＩＤ（ユーザー１）と、を比較する（ステップＳ１１８）。個人ＩＤ同士が相違していると判断されると、報知手段１１６は個人ＩＤ同士が相違していることを報知し、ユーザーを切り替えるか否かを使用者に問いかける（ステップＳ１２０）。使用者がユーザーを切り替えない旨の操作を行うと（ステップＳ１２０：ＮＯ）、端末装置１００は、血圧計３００から送信された測定値（血圧値）を「ユーザー２」のデータとしてメモリ１０８に記憶し、また表示部１０６にその測定値を表示する（ステップＳ１２２）。
【００５６】
一方、使用者がユーザーを切り替える旨の操作を行うと（ステップＳ１２０：ＹＥＳ）、端末装置１００は何れのユーザーのデータとして測定値を記憶および表示するかを使用者に問いかける。ここで、使用者が「ユーザー１」を選択したとすると（ステップＳ１２４）、端末装置１００は、血圧計３００から送信された測定値（血圧値）を「ユーザー１」のデータとしてメモリ１０８に記憶し、また表示部１０６にその測定値を表示する（ステップＳ１２６）。
【００５７】
次に、端末装置１００の表示部１０６に表示される表示内容を参照しつつ、図６に表したフローチャート図の動作をさらに説明する。  
図７〜図１１は、本具体例の動作において表示部に表示される内容を例示する模式図である。
【００５８】
まず、使用者が体温値や血圧値を測定を開始する前には、表示部１０６は消灯している場合がある（図７（ａ））。これは、図３に関して前述したように、例えば省電力化や、いわゆる画面焼き付き防止などのためである。このように、端末装置１００は、常時は制御部１０４だけが起動している状態、いわゆるスリープ状態であってもよい。
【００５９】
ここで、使用者は尿糖計リモコン２３０のスイッチ２３２ｂを操作し、「ユーザー２」として使用者を特定（選択）したとする。体温値の測定が開始され、測定値（体温値）が個人ＩＤ（ユーザー２）と共に端末装置１００に送信されて、受信手段１０２がその測定値を受信すると、表示部１０６は自動的に点灯（起動）して、その測定値が表示される（図７（ｂ）、図７（ｃ））。このように、尿糖計リモコン２３０を操作するだけで、表示部１０６を手動で起動させることなく自動的に起動させることができるため、使い勝手がよい。続いて、端末装置１００のメモリ１０８に測定値を記憶中であることの表示がなされ（図８（ａ））、記憶動作が完了すると測定値（体温値）のグラフ図（図８（ｂ））および表（図８（ｃ））が表示される。
【００６０】
続いて、使用者は血圧計３００のスイッチ３３２ａを操作し、「ユーザー１」として使用者を特定（選択）したとする。血圧値の測定が開始され、測定値（血圧値）が個人ＩＤ（ユーザー１）と共に端末装置１００に送信されると、尿糖計２００から送信された測定値に付加された個人ＩＤ（ユーザー２）と、血圧計３００から送信された測定値に付加された個人ＩＤ（ユーザー１）と、が相違していることの報知がなされる（図９（ａ））。ここで、使用者が「ＮＯ」を選択すると、端末装置１００は、血圧計３００から送信された測定値（血圧値）を「ユーザー２」のデータとしてメモリ１０８に記憶する（図９（ｂ））。記憶動作が完了すると、表示部１０６にその測定値が表示される（図９（ｃ））。
【００６１】
一方、個人ＩＤ同士が相違していることの報知がなされたときに、使用者が「ＹＥＳ」を選択すると（図１０（ａ））、何れのユーザーのデータとして測定値を記憶および表示するかの問いかけがなされる（図１０（ｂ））。ここで、使用者が「ユーザー１」を選択したとすると（図１０（ｂ））、端末装置１００は、血圧計３００から送信された測定値（血圧値）を「ユーザー１」のデータとしてメモリ１０８に記憶する（図１０（ｃ））。記憶動作が完了すると、表示部１０６に「ユーザー１」としての測定値が表示される（図１１（ａ））。
【００６２】
なお、図８（ｃ）、図９（ｃ）、あるいは図１１（ａ）の表示がなされている場合において、端末装置１００の「位置操作」スイッチ１１２ｂおよび「入力」スイッチ１１２ｃを操作して表示部１０６の右上に表示された「体重」を選択すると、使用者は体重計４００によって体重値の測定を開始することができる。
【００６３】
図１２は、本実施形態にかかる健康管理システムの動作の他の具体例を表すフローチャート図である。  
図１２に表したフローチャート図は、使用者が端末装置１００の「表示入／切」スイッチ１１２ａを操作して表示部１０６を点灯させ、端末装置個人特定手段１１０よって使用者を特定した後、血圧計３００の血圧計個人特定手段３３２を操作して血圧値の測定を行う場合の動作を例示している。
【００６４】
まず、使用者は端末装置１００の「表示入／切」スイッチ１１２ａを操作して表示部１０６を点灯させる（ステップＳ２０２）。続いて、何れのユーザーとして血圧値や体温値などの測定を行うかの問いかけがなされるため、ここで使用者は「ユーザー２」を選択したとする（ステップＳ２０４）。続いて、使用者は血圧値を測定するために、血圧計３００のスイッチ３３２ａを操作し、誤って「ユーザー１」として使用者を特定したとする（ステップＳ２０６）。使用者が血圧計３００のスイッチ３３２ａを操作すると、血圧計３００は血圧値の測定を開始する（ステップＳ２０８）。続いて、血圧計３００の測定値（血圧値）は、個人ＩＤ（ユーザー１）が付加されて血圧計３００から端末装置１００に送信される（ステップＳ２１０）。
【００６５】
このとき、端末装置１００の比較手段１１４は、端末装置個人特定手段１１０によって特定された使用者の個人ＩＤ（ユーザー２）と、血圧計３００から送信されて表示部１０６に表示されている測定値に付加された個人ＩＤ（ユーザー１）と、を比較する（ステップＳ２１２）。個人ＩＤ同士が相違していると判断されると、報知手段１１６は個人ＩＤ同士が相違していることを報知し、ユーザーを切り替えるか否かを使用者に問いかける（ステップＳ２１４）。使用者がユーザーを切り替えない旨の操作を行うと（ステップＳ２１４：ＮＯ）、端末装置１００は、血圧計３００から送信された測定値（血圧値）を「ユーザー２」のデータとしてメモリ１０８に記憶し、また表示部１０６にその測定値を表示する（ステップＳ２１６）。
【００６６】
使用者がユーザーを切り替える旨の操作を行うと（ステップＳ２１４：ＹＥＳ）、端末装置１００は何れのユーザーのデータとして測定値を記憶および表示するかを使用者に問いかける。ここで、使用者が「ユーザー１」を選択したとすると（ステップＳ２１８）、端末装置１００は、血圧計３００から送信された測定値（血圧値）を「ユーザー１」のデータとしてメモリ１０８に記憶し、また表示部１０６にその測定値を表示する（ステップＳ２２０）。
【００６７】
次に、端末装置１００の表示部１０６に表示される表示内容を参照しつつ、図１２に表したフローチャート図の動作をさらに説明する。  
図１３〜図１６は、本具体例の動作において表示部に表示される内容を例示する模式図である。
【００６８】
まず、図７（ａ）に関して前述したように、使用者が体温値や血圧値を測定を開始する前には、表示部１０６は消灯している場合がある（図１３（ａ））。ここで、使用者は端末装置１００の「表示入／切」スイッチ１１２ａを操作して表示部１０６を点灯させることができる（図１３（ｂ））。続いて、何れのユーザーとして血圧値や体温値などの測定を行うかの問いかけがなされる（図１３（ｂ））。すなわち、尿糖計２００や血圧計３００などの生体情報測定装置から出力される測定値が、個人ＩＤと共に端末装置１００に送信されて表示部１０６が起動した場合の表示内容（例えば、図７（ｂ））と、使用者が端末装置１００の「表示入／切」スイッチ１１２ａを操作して表示部１０６を起動させた場合の表示内容（例えば、図１３（ｂ））と、は異なっている。ここで、使用者は「ユーザー２」を選択したとする（図１３（ｃ））。
【００６９】
続いて、使用者は血圧計３００のスイッチ３３２ａを操作し、誤って「ユーザー１」として使用者を特定したとする。血圧値の測定が開始され、測定値（血圧値）が個人ＩＤ（ユーザー１）と共に端末装置１００に送信されると、端末装置個人特定手段１１０によって特定された使用者の個人ＩＤ（ユーザー２）と、血圧計３００から送信された測定値に付加された個人ＩＤ（ユーザー１）と、が相違していることの報知がなされる（図１４（ａ））。ここで、使用者が「ＮＯ」を選択すると、端末装置１００は、血圧計３００から送信された測定値（血圧値）を「ユーザー２」のデータとしてメモリ１０８に記憶する（図１４（ｂ））。記憶動作が完了すると、表示部１０６にその測定値が表示される（図１４（ｃ））。
【００７０】
一方、個人ＩＤ同士が相違していることの報知がなされたときに、使用者が「ＹＥＳ」を選択すると（図１５（ａ））、何れのユーザーのデータとして測定値を記憶および表示するかの問いかけがなされる（図１５（ｂ））。ここで、使用者が「ユーザー１」を選択したとすると（図１５（ｂ））、端末装置１００は、血圧計３００から送信された測定値（血圧値）を「ユーザー１」のデータとしてメモリ１０８に記憶する（図１５（ｃ））。記憶動作が完了すると、表示部１０６に「ユーザー１」としての測定値が表示される（図１６（ａ））。
【００７１】
以上説明したように、本実施形態によれば、複数の生体情報測定装置で付加された個人ＩＤ同士が相違しても、個人ＩＤ同士が相違していることを使用者は知ることができる。さらに、端末装置個人特定手段１１０によって特定された使用者の個人ＩＤと、生体情報測定装置で付加された個人ＩＤ同士と、が相違しても、個人ＩＤ同士が相違していることを使用者は知ることができる。これにより、個人認証の誤り（個人ＩＤ同士の相違）を迅速に認識することができる。
【００７２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、体重計４００は、尿糖計２００および血圧計３００と同様に、端末装置１００に出力する測定値に個人ＩＤを付加することができてもよい。このようにすれば、尿糖計２００と、血圧計３００と、体重計４００と、の間における個人認証の誤り（個人ＩＤ同士の相違）を迅速に認識することができる。さらに例えば、端末装置１００や尿糖計リモコン２３０などが備えるスイッチ類の形状、寸法、配置などや、尿糖計２００や血圧計３００や体重計４００などの設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【図面の簡単な説明】
【００７３】
【図１】本発明の実施の形態にかかる健康管理システムが設置されたトイレ室を例示する模式図である。
【図２】本実施形態にかかる健康管理システムの構成を例示するブロック図である。
【図３】本実施形態にかかる健康管理システムの動作を説明するための模式図である。
【図４】本実施形態の受尿装置を例示する模式図である。
【図５】受尿装置を分解して斜めから眺めた分解斜視図である。
【図６】本実施形態にかかる健康管理システムの動作の具体例を表すフローチャート図である。
【図７】本具体例の動作において表示部に表示される内容を例示する模式図である。
【図８】本具体例の動作において表示部に表示される内容を例示する模式図である。
【図９】本具体例の動作において表示部に表示される内容を例示する模式図である。
【図１０】本具体例の動作において表示部に表示される内容を例示する模式図である。
【図１１】本具体例の動作において表示部に表示される内容を例示する模式図である。
【図１２】本実施形態にかかる健康管理システムの動作の他の具体例を表すフローチャート図である。
【図１３】本具体例の動作において表示部に表示される内容を例示する模式図である。
【図１４】本具体例の動作において表示部に表示される内容を例示する模式図である。
【図１５】本具体例の動作において表示部に表示される内容を例示する模式図である。
【図１６】本具体例の動作において表示部に表示される内容を例示する模式図である。
【符号の説明】
【００７４】
１００ 端末装置、  １０２ 受信手段、  １０４ 制御部、  １０６ 表示部、  １０８ メモリ、  １１０ 端末装置個人特定手段、  １１２ 操作手段、  １１２ａ、１１２ｂ、１１２ｃ、１１２ｄ スイッチ、  １１４ 比較手段、  １１６ 報知手段、  １１８ 演算部、  ２００ 尿糖計、  ２０６ 有線、  ２１０ 尿糖計測定部、  ２１２ 尿糖計送信手段、  ２１４ 尿糖計信号生成手段、  ２３０ 尿糖計リモコン、  ２３２ 尿糖計個人特定手段、  ２３２ａ、２３２ｂ、２３２ｃ、２３２ｄ、２３２ｅ、２３４、２３６、２３８、２４０、２４２ スイッチ、  ２５０ 受尿装置、  ２５２ 回動アーム、  ２５４ 受尿部、  ２５６ 受尿器、  ２５８ 温度検出センサ、  ２６０ 吸尿口、  ２６２ 受尿メッシュ、  ２６６ 駆動部、  ２６８ 搬送管、  ３００ 尿糖計、  ３００ 血圧計、  ３０６ 表示部、  ３１０ 血圧計測定部、  ３１２ 血圧計送信手段、  ３１４ 尿糖計信号生成手段、  ３３２ 血圧計個人特定手段、  ３３２ａ、３３２ｂ、３３２ｃ、３３２ｄ、３３２ｅ、３３６ スイッチ、  ４００ 体重計、  ４０２ 体重計パネル、  ４０６ 有線、  ４１０ 体重計測定部、  ４１２ 体重計送信手段、  ６０２ 便器、  ６０２ａ ボウル、  ６０４ 局部洗浄装置、  ６０６ ライニング、  ６１０ 棚板、  ６１２、６１４ キャビネット、  ６１６ ペーパーホルダ、  ６１８ トイレットペーパー、  ６２０ 水栓、  ６２２ ボウル、  ６２４ 鏡、  ６３０ トイレリモコン、  ６５０ａ、６５０ｂ 壁面、  ６５０ｅ 床面
【図１】
2009189728.tif 000003
【図２】
2009189728.tif 000004
【図３】
2009189728.tif 000005
【図４】
2009189728.tif 000006
【図５】
2009189728.tif 000007
【図６】
2009189728.tif 000008
【図７】
2009189728.tif 000009
【図８】
2009189728.tif 000010
【図９】
2009189728.tif 000011
【図１０】
2009189728.tif 000012
【図１１】
2009189728.tif 000013
【図１２】
2009189728.tif 000014
【図１３】
2009189728.tif 000015
【図１４】
2009189728.tif 000016
【図１５】
2009189728.tif 000017
【図１６】
2009189728.tif 000018